(57)【特許請求の範囲】
【請求項１】
無線ＩＣタグを備えた移動端末と、
該移動端末の無線ＩＣタグの情報を読取可能な読取手段を備えた一以上の中継装置と、
方向変更可能な少なくとも１組の指向性のマイク及びスピーカと、
前記中継装置の読取機構が無線ＩＣタグの情報を読み取る際の電波の強弱及び電波の方向に基づいて前記移動端末の位置を認識可能な位置認識手段を備えたサーバと、
を備え、
前記指向性のマイク及びスピーカを用いた通話を確立させる電話ネットワークシステムであって、
前記移動端末は、前記中継装置の読取手段によって無線ＩＣタグの情報を読取らせる際に発呼開始の情報を含ませることが可能な発呼スイッチを備え、
前記サーバは、前記中継装置の読取手段が読取った無線ＩＣタグの情報に前記発呼開始の情報が含まれていると認識すると、前記位置認識手段によって認識された前記移動端末の位置情報に基づいて、前記指向性のマイク及びスピーカを前記移動端末の方向に向けて、発呼処理を実行することを特徴とする電話ネットワークシステム。
【請求項２】
無線ＩＣタグを備えた移動端末と、
該移動端末の無線ＩＣタグの情報を読取可能な読取手段を備えた少なくとも三以上の中継装置と、
方向変更可能な少なくとも１組の指向性のマイク及びスピーカと、
前記各中継装置の読取機構が無線ＩＣタグの情報を読み取る際の電波の強弱に基づいて前記移動端末の位置を認識可能な位置認識手段を備えたサーバと、
を備え、
前記指向性のマイク及びスピーカを用いた通話を確立させる電話ネットワークシステムであって、
前記移動端末は、前記中継装置の読取手段によって無線ＩＣタグの情報を読取らせる際に発呼開始の情報を含ませることが可能な発呼スイッチを備え、
前記サーバは、前記中継装置の読取手段が読取った無線ＩＣタグの情報に前記発呼開始の情報が含まれていると認識すると、前記位置認識手段によって認識された前記移動端末の位置情報に基づいて、前記指向性のマイク及びスピーカを前記移動端末の方向に向けて、発呼処理を実行することを特徴とする電話ネットワークシステム。
【請求項３】
前記発呼処理は、前記指向性のマイクによって所定の音声をキャッチすると、その音声の種類に基づいて所定の電話番号が選択され、その選択された電話番号への発呼が処理されることを特徴とする請求項１又は２記載の電話ネットワークシステム。
【請求項４】
無線ＩＣタグを備えた移動端末と、
該移動端末の無線ＩＣタグの情報を読取可能な読取手段を備えた一以上の中継装置と、
方向変更可能な少なくとも１組の指向性のマイク及びスピーカと、
前記中継装置の読取機構が無線ＩＣタグの情報を読み取る際の電波の強弱及び電波の方向に基づいて前記移動端末の位置を認識可能な位置認識手段を備えたサーバと、
を備え、
前記指向性のマイク及びスピーカを用いた通話を確立させる電話ネットワークシステムであって、
前記サーバは、前記移動端末の無線ＩＣタグ宛の着呼を受信可能な着呼処理手段を備え、該着呼処理手段が、前記移動端末の無線ＩＣタグ宛の着呼を受信すると、前記位置認識手段によって認識された前記移動端末の位置情報に基づいて、前記指向性のマイク及びスピーカを前記移動端末の方向に向けて、そのスピーカから着呼音を発生させ、
前記移動端末は、前記中継装置の読取手段によって無線ＩＣタグの情報を読取らせる際に着呼開始の情報を含ませることが可能な着呼スイッチを備え、
前記サーバは、前記中継装置の読取手段が読取った無線ＩＣタグの情報に前記着呼開始の情報が含まれていると認識すると、相手方との通話を確立させることを特徴とする電話ネットワークシステム。
【請求項５】
無線ＩＣタグを備えた移動端末と、
該移動端末の無線ＩＣタグの情報を読取可能な読取手段を備えた少なくとも三以上の中継装置と、
方向変更可能な少なくとも１組の指向性のマイク及びスピーカと、
前記中継装置の読取機構が無線ＩＣタグの情報を読み取る際の電波の強弱に基づいて前記移動端末の位置を認識可能な位置認識手段を備えたサーバと、
を備え、
前記指向性のマイク及びスピーカを用いた通話を確立させる電話ネットワークシステムであって、
前記サーバは、前記移動端末の無線ＩＣタグ宛の着呼を受信可能な着呼処理手段を備え、該着呼処理手段が、前記移動端末の無線ＩＣタグ宛の着呼を受信すると、前記位置認識手段によって認識された前記移動端末の位置情報に基づいて、前記指向性のマイク及びスピーカを前記移動端末の方向に向けて、そのスピーカから着呼音を発生させ、
前記移動端末は、前記中継装置の読取手段によって無線ＩＣタグの情報を読取らせる際に着呼開始の情報を含ませることが可能な着呼スイッチを備え、
前記サーバは、前記中継装置の読取手段が読取った無線ＩＣタグの情報に前記着呼開始の情報が含まれていると認識すると、相手方との通話を確立させることを特徴とする電話ネットワークシステム。
【請求項６】
前記指向性のマイク及びスピーカは、二以上設けられ、
前記サーバは、前記移動端末の位置情報に基づいて、該移動端末に最も近い指向性のマイク及びスピーカを移動端末の方向に向けて、その指向性のマイク及びスピーカを用いた通話を確立させるよう構成されていることを特徴とする請求項１乃至５いずれか記載の電話ネットワークシステム。
【請求項７】
前記指向性のマイク及びスピーカは、前記移動端末の位置よりも所定の高さの位置に向けられるように構成されていることを特徴とする請求項１乃至６いずれか記載の電話ネットワークシステム。
【請求項８】
前記無線ＩＣタグは、前記中継装置から発信される電波をエネルギー源として作動するよう構成されていることを特徴とする請求項１乃至７いずれか記載の電話ネットワークシステム。
【発明の詳細な説明】
【技術分野】
【０００１】
本発明は、移動可能な部品を可及的に少なくした電話ネットワークシステムに関する。
【背景技術】
【０００２】
近年、固定電話の他に移動体電話が用いられており（特許文献１）、移動体電話には、通常、スピーカ、マイク、電池、ディスプレイなどが搭載されている。
【特許文献１】特開２００１−１６０８５０号
【発明の開示】
【発明が解決しようとする課題】
【０００３】
このように従来の移動体電話は、スピーカ、マイク、電池、ディスプレイなどが搭載されているため、ある程度の大きさを必要とし、小型化には限界がある。
【０００４】
そこで、本発明は、移動体電話を可及的に小型化にすることを目的とする。
【課題を解決するための手段】
【０００５】
以上の目的を達成するため、本発明の第１の態様は、無線ＩＣタグを備えた移動端末と、該移動端末の無線ＩＣタグの情報を読取可能な読取手段を備えた一以上の中継装置と、方向変更可能な少なくとも１組の指向性のマイク及びスピーカと、前記中継装置の読取機構が無線ＩＣタグの情報を読み取る際の電波の強弱及び電波の方向に基づいて前記移動端末の位置を認識可能な位置認識手段を備えたサーバと、を備え、前記指向性のマイク及びスピーカを用いた通話を確立させる電話ネットワークシステムであって、前記移動端末は、前記中継装置の読取手段によって無線ＩＣタグの情報を読取らせる際に発呼開始の情報を含ませることが可能な発呼スイッチを備え、前記サーバは、前記中継装置の読取手段が読取った無線ＩＣタグの情報に前記発呼開始の情報が含まれていると認識すると、前記位置認識手段によって認識された前記移動端末の位置情報に基づいて、前記指向性のマイク及びスピーカを前記移動端末の方向に向けて、発呼処理を実行することを特徴とする。
【０００６】
また、本発明の第２の態様は、無線ＩＣタグを備えた移動端末と、該移動端末の無線ＩＣタグの情報を読取可能な読取手段を備えた少なくとも三以上の中継装置と、方向変更可能な少なくとも１組の指向性のマイク及びスピーカと、前記各中継装置の読取機構が無線ＩＣタグの情報を読み取る際の電波の強弱に基づいて前記移動端末の位置を認識可能な位置認識手段を備えたサーバと、を備え、前記指向性のマイク及びスピーカを用いた通話を確立させる電話ネットワークシステムであって、前記移動端末は、前記中継装置の読取手段によって無線ＩＣタグの情報を読取らせる際に発呼開始の情報を含ませることが可能な発呼スイッチを備え、前記サーバは、前記中継装置の読取手段が読取った無線ＩＣタグの情報に前記発呼開始の情報が含まれていると認識すると、前記位置認識手段によって認識された前記移動端末の位置情報に基づいて、前記指向性のマイク及びスピーカを前記移動端末の方向に向けて、発呼処理を実行することを特徴とする。
【０００７】
これら２つの態様の電話ネットワークシステムにおいて、前記発呼処理は、前記指向性のマイクによって所定の音声をキャッチすると、その音声の種類に基づいて所定の電話番号が選択され、その選択された電話番号への発呼が処理されるものである。
【０００８】
また、本発明の第３の態様は、無線ＩＣタグを備えた移動端末と、該移動端末の無線ＩＣタグの情報を読取可能な読取手段を備えた一以上の中継装置と、方向変更可能な少なくとも１組の指向性のマイク及びスピーカと、前記中継装置の読取機構が無線ＩＣタグの情報を読み取る際の電波の強弱及び電波の方向に基づいて前記移動端末の位置を認識可能な位置認識手段を備えたサーバと、を備え、前記指向性のマイク及びスピーカを用いた通話を確立させる電話ネットワークシステムであって、前記サーバは、前記移動端末の無線ＩＣタグ宛の着呼を受信可能な着呼処理手段を備え、該着呼処理手段が、前記移動端末の無線ＩＣタグ宛の着呼を受信すると、前記位置認識手段によって認識された前記移動端末の位置情報に基づいて、前記指向性のマイク及びスピーカを前記移動端末の方向に向けて、そのスピーカから着呼音を発生させ、前記移動端末は、前記中継装置の読取手段によって無線ＩＣタグの情報を読取らせる際に着呼開始の情報を含ませることが可能な着呼スイッチを備え、前記サーバは、前記中継装置の読取手段が読取った無線ＩＣタグの情報に前記着呼開始の情報が含まれていると認識すると、相手方との通話を確立させることを特徴とする。
【０００９】
さらに、本発明の第４の態様は、無線ＩＣタグを備えた移動端末と、該移動端末の無線ＩＣタグの情報を読取可能な読取手段を備えた少なくとも三以上の中継装置と、方向変更可能な少なくとも１組の指向性のマイク及びスピーカと、前記中継装置の読取機構が無線ＩＣタグの情報を読み取る際の電波の強弱に基づいて前記移動端末の位置を認識可能な位置認識手段を備えたサーバと、を備え、前記指向性のマイク及びスピーカを用いた通話を確立させる電話ネットワークシステムであって、前記サーバは、前記移動端末の無線ＩＣタグ宛の着呼を受信可能な着呼処理手段を備え、該着呼処理手段が、前記移動端末の無線ＩＣタグ宛の着呼を受信すると、前記位置認識手段によって認識された前記移動端末の位置情報に基づいて、前記指向性のマイク及びスピーカを前記移動端末の方向に向けて、そのスピーカから着呼音を発生させ、前記移動端末は、前記中継装置の読取手段によって無線ＩＣタグの情報を読取らせる際に着呼開始の情報を含ませることが可能な着呼スイッチを備え、前記サーバは、前記中継装置の読取手段が読取った無線ＩＣタグの情報に前記着呼開始の情報が含まれていると認識すると、相手方との通話を確立させることを特徴とする。
【００１０】
以上の４つの態様の電話ネットワークシステムにおいて、前記指向性のマイク及びスピーカは、二以上設けられ、前記サーバは、前記移動端末の位置情報に基づいて、該移動端末に最も近い指向性のマイク及びスピーカを移動端末の方向に向けて、その指向性のマイク及びスピーカを用いた通話を確立させるよう構成されていることが好ましく、前記指向性のマイク及びスピーカは、前記移動端末の位置よりも所定の高さの位置に向けられるように構成されていることが好ましい。さらに、前記無線ＩＣタグは、前記中継装置から発信される電波をエネルギー源として作動するよう構成されていることが好ましい。
【００１１】
本発明に係るネットワークシステムにおいて、移動端末の無線ＩＣタグの情報の読取は、中継装置が発信する電波を移動端末の無線ＩＣタグが受信し、その電波の一部を反射させる際に無線ＩＣタグの情報を反射波形に変換して発信し、その反射波形の電波を中継装置が受信することによって行なわれる。
【００１２】
本発明の電話ネットワークシステムの利用態様としては、鉄道や地下鉄の駅、又は空港の所定のエリア、展示会場、ホテルなどが考えられる。
【発明の効果】
【００１３】
以上のように、本発明の電話ネットワークシステムによれば、本人が所持する移動端末に搭載するものを無線ＩＣタグに限定し、マイクやスピーカなどを中継装置側に設置させているので、移動体電話を可及的に小型化にすることができる。
【発明を実施するための最良の形態】
【００１４】
次に、本発明に係る電話ネットワークシステムの第１実施例について図面に基づいて説明する。図１は、第１実施例に係る電話ネットワークシステム１００の構成を示す機能ブロック図である。第１実施例に係る電話ネットワークシステム１００は、移動端末２と、中継装置４と、サーバ６と、指向性スピーカ８と、指向性マイク１０と、を備えている。
【００１５】
移動端末２は、電池を内蔵しないパッシブ型のＲＦＩＤタグであり、中継装置４から送信されるプローブ電波をエネルギー源として作動し、受信したプローブ電波の一部を反射させる際に内部に記憶されたＩＤ情報を反射波形に変換して中継装置４に送信するように構成されている。この移動端末２は、図２に示すようにＲＦＩＤチップ２４と、スイッチ２６と、アンテナ２８と、を備えている。ＲＦＩＤチップ２４は、識別番号などのＩＤ情報が記憶され、受信したプローブ電波の一部をこのＩＤ情報に対応する信号Ａに変換してアンテナ２８に出力するよう構成されている。スイッチ２６は、例えば高周波スイッチＭＥＳＦＥＴであり、ＯＮのときのみＲＦＩＤチップ２４から信号Ａを入力して位相をシフトさせ信号Ｂを生成するよう構成されている。アンテナ２８は、スイッチ２６がＯＦＦのとき、ＲＦＩＤチップ２４から信号Ａを入力して中継装置４に送信し、スイッチ２６がＯＮのとき、ＲＦＩＤチップ２４からの信号Ａ及びスイッチ２６からの信号Ｂを入力して中継装置４に送信するよう構成されている。また、通話開始信号として機能する信号Ｂは、信号Ａを反転させるように生成してもよい。この移動端末２は、識別番号などのＩＤ情報が付与され、例えば、利用者１８の衣服などに装着できるようなバッチ状の形態からなる。
【００１６】
中継装置４は、所定のネットワークシステムエリア２２全域にいずれかの電波が届くように所定の間隔を置いて複数設置され、いずれもがサーバ６に接続されている。中継装置４は、サーバ６から定期的に入力される制御信号に従ってプローブ電波を周囲に発信し、移動端末２からの反射波を受信するように構成されている。
【００１７】
指向性スピーカ８は、ネットワークシステムエリア２２内に設置され、特定の方向のみに音声を伝えるスピーカである。同じく指向性マイク１０は、ネットワークシステムエリア２２内に設置され、特定方向のみの音声を高感度に受信するマイクである。指向性スピーカ８及び指向性マイク１０は、図３に示すようにネットワークシステムエリア２２内に設置された回転台２０上に配置されている。この回転台２０は、指向性スピーカ８の可聴領域及び指向性マイク１０の可集音領域がネットワークシステムエリア２２内をカバーできるよう回転自在に設置されている。また、回転台２０は、サーバ６に接続され、サーバ６により回転制御されるように構成されている。
【００１８】
サーバ６は、図４に示すようにプログラムを格納するプログラム格納部３０と、ＣＰＵやメモリなどから構成され、プログラム格納部３０に格納されたプログラムを実行処理する制御部３２と、各中継装置４の位置情報を記憶する中継装置位置情報ＤＢ３４と、移動端末２の位置情報を記憶する移動端末位置情報ＤＢ３６と、ＳＩＰサーバ部３８と、各中継装置４や回転台２０などと通信を行なう通信部４０と、を備えている。
【００１９】
移動端末位置情報ＤＢ３６は、移動端末２の電話番号、ＩＤ情報、利用可否、位置情報、通話中であるか否か、電話の転送先、及び通話サービスの有効期限などの情報が移動端末２毎に対応づけて記憶している。
【００２０】
ＳＩＰサーバ部３８は、インターネットなど広域ネットワークシステムに接続されており、本実施例に係る電話ネットワークシステムが、ＶｏＩＰのＳＩＰサーバとして機能するため、各移動端末２のＩＤ情報に対応付けされた電話番号を記憶している。
【００２１】
プログラム格納部３０には、ネットワークシステムエリア２２内に存する移動端末２の位置情報を取得して、移動端末位置情報ＤＢ３６の更新処理を行う位置情報取得プログラム４２と、着呼処理の実行を行なう着呼処理実行プログラム４４と、発呼処理の実行を行なう発呼処理実行プログラム４６と、が格納されている。
【００２２】
位置情報取得プログラム４２は、通信部４０が各中継装置４から反射波のデータを受信すると、その波形から移動端末２のＩＤ情報を取得すると共に、反射波の電波強度から各中継装置４と移動端末２との距離を得て、それらから移動端末２の位置を算出し、移動端末位置情報ＤＢ３６に記憶された情報の更新を行なうプログラムである。移動端末位置情報ＤＢ３６に記憶された情報の更新は、先ず、受信した反射波データのＩＤ情報を検索し、検索されたＩＤ情報の位置情報と算出された位置情報の比較を行い、異なる場合に、更新を行う。また、移動端末位置情報ＤＢ３６に登録されているもののうち、利用可否が「○」になっているＩＤ情報に関する反射波データを受信しなかった場合、そのＩＤ情報の利用可否を「×」に更新する。
【００２３】
発呼処理実行プログラム４６は、指向性マイク８が受信した利用者の電話番号の音声データに基づいて発呼処理を実行するプログラムであるが、例えば移動端末２毎に短縮番号と電話番号が対応されて登録された短縮番号ＤＢを備え、利用者の短縮番号の音声データをその短縮番号ＤＢに当てはめて、それに対応する電話番号を検索して、発呼処理を実行するように構成しても良い。
【００２４】
次に、本実施例に係る電話ネットワークシステム１００の移動端末の位置情報取得の動作を図５に示すシーケンスチャートに基づいて説明する。この動作は、位置情報取得プログラム４２に基づいて実行させる。先ず、サーバ６がプローブ電波を送信するように各中継装置４に制御入力を行うと（Ｓ１００）、各中継装置４は、周囲にプローブ電波を周囲に発信する（Ｓ１０２）。移動端末２は、このプローブ電波を受信するとＩＤ情報を反射波の波形に変換して周囲に発信する（Ｓ１０４）。この反射波を受信可能な範囲に存する各中継装置４は、この反射波を受信してその波形や電波強度などの反射波データをサーバ６に出力する（Ｓ１０６）。サーバ６は、各中継装置４で得られた反射波の波形から移動端末２のＩＤ情報を特定し、中継装置位置情報ＤＢ３４に記憶された各中継装置４の位置情報と各中継装置４で受信された反射波の電波強度から移動端末２の位置を取得する（Ｓ１０８）。サーバ６は、データベースＤＢの更新を行なう（Ｓ１１０）。
【００２５】
次に、本実施例に係る電話ネットワークシステム１００の着呼の動作を図６に示すシーケンスチャートに基づいて説明する。この動作は、着呼処理実行プログラム４４に基づいて実行される。他のＶｏＩＰ端末１２から移動端末２に電話をかける場合、先ず、ＶｏＩＰ端末１２からＳＩＰサーバ１４にセッションを確立するための“ＩＮＶＩＴＥ”メソッドが送信される（Ｓ２００）。ＳＩＰサーバ１４は、ＶｏＩＰ端末１２からセッションのリクエストがあると、サーバ６に“ＩＮＶＩＴＥ”メソッドを送信すると共に（Ｓ２０２）、発信元であるＶｏＩＰ端末１２にセッションの要求を実行中であることを知らせる“１００  Ｔｒｙｉｎｇ”メソッドを送信する（Ｓ２０４）。サーバ６は、ＳＩＰサーバ１４からセッションのリクエストがあると、プローブ電波を送信するように各中継装置４に制御入力を行うと共に（Ｓ２０６）、ＳＩＰサーバ１４に“１００  Ｔｒｙｉｎｇ”メソッドを送信する（Ｓ２０８）。各中継装置４は、サーバ６から制御信号が入力されると、周囲にプローブ電波を発信する（Ｓ２１０）。移動端末２は、このプローブ電波を受信するとＩＤ情報を反射波の波形に変換して周囲に発信する（Ｓ２１２）。中継装置４は、この反射波を受信してその波形や電波強度などの反射波データをサーバ６に出力する（Ｓ２１４）。サーバ６は、入力された反射波データに基づいて移動端末２の位置情報を取得する（Ｓ２１６）。サーバ６は、“ＩＮＶＩＴＥ”メソッドに含まれる移動端末２の電話番号を取得し、ＤＢ３６を参照することで、この電話番号を基にＩＤ情報、位置情報を把握する。サーバ６は、この位置情報に基づいて回転台２０の方向を移動端末２に向け、指向性スピーカ８から呼び出し音を送信するように制御信号を送信すると共に（Ｓ２１８）、ＳＩＰサーバ１４に相手を呼び出し中であることを知らせる“１８０  Ｒｉｎｇｉｎｇ”メソッドを送信する（Ｓ２２０）。ＳＩＰサーバ１４は、サーバ６から“１８０  Ｒｉｎｇｉｎｇ”メソッドを受信すると、ＶｏＩＰ端末１２に“１８０  Ｒｉｎｇｉｎｇ”メソッドを送信する（Ｓ２２２）。一方、サーバ６から制御信号が入力された回転台２０は、移動端末２の方向に回転し、指向性スピーカ８は、呼び出し音を鳴らす（Ｓ２２４）。呼び出し音を聞き取った利用者１８は、通話を開始しようと移動端末２のスイッチ１２をＯＮにしてＩＤ情報を含む通話開始信号を送信すると（Ｓ２２６）、中継装置４は、移動端末２の反射信号に通話開始信号が含まれたことを検知しサーバ６に通知する（Ｓ２２８）。サーバ６は、通話開始信号に含まれたＩＤ情報を確認し、ＶｏＩＰ端末１２が通話を要求した移動端末２からの通話開始信号が受信されたことを確認すると、リクエストが成功したことを知らせる“２００  ＯＫ”メソッドをＳＩＰサーバ１４に送信する（Ｓ２３０）。ＳＩＰサーバ１６は、“２００  ＯＫ”メソッドをサーバ６から受信すると、ＶｏＩＰ端末１２に“２００  ＯＫ”メソッドを送信する（Ｓ２３２）。ＶｏＩＰ端末１２は、“２００  ＯＫ”メソッドを受信すると、受信を確認したことを知らせる“ＡＣＫ”メソッドをサーバ６に送信し（Ｓ２３４）、サーバ６とＶｏＩＰ端末１２との通話セッション、すなわち本実施例に係る電話ネットワークシステム１００とＶｏＩＰ端末１２との通話セッションが確立される。ＶｏＩＰ端末１２からの会話は、サーバ６を介してスピーカ８に伝えられ、移動端末２からの会話はマイク１０を通してサーバ６を介し、ＶｏＩＰ端末１２に届くことで会話が成立する。通話が終了し、利用者１８が移動端末２のスイッチ１２をＯＦＦにすると、サーバ６からＶｏＩＰ端末１２にセッションの切断を知らせる“ＢＹＥ”メソッドが送信され（Ｓ２３６）、これを受信したＶｏＩＰ端末１２は、“２００  ＯＫ”メソッドをサーバ６に送信し（Ｓ２３８）、通話セッションが切断される。本実施例では、サーバ６が“ＩＮＶＩＴＥ”メソッドを受信した時点で改めて移動端末２の位置を確認したが、図５に基づく定期的に取得している位置情報を利用してもよい。この場合、Ｓ２０６、Ｓ２１０、Ｓ２１２、Ｓ２１４の処理は省略される。
【００２６】
次に、本実施例に係る電話ネットワークシステム１００の発呼の動作を図７に示すシーケンスチャートに基づいて説明する。この動作は、発呼処理実行プログラム４６に基づいて実行される。先ず、利用者１８が、ＶｏＩＰ端末１２に電話をかけようと移動端末２のスイッチ１２をＯＮにするとＩＤ情報を含む通話開始信号が送信される（Ｓ３００）。中継装置４は、通話開始信号が含まれた移動端末２の反射信号のデータをサーバ６に送信する（Ｓ３０２）。サーバ６は、この反射信号のデータからＩＤ情報を含む通話開始信号を検知する（Ｓ３０４）。サーバ６は、この位置情報に基づいて回転台２０を回転させ、指向性スピーカ１０から通知音を出力するよう制御入力を行う（Ｓ３０６）。回転台２０が回転し、指向性スピーカ１０から通知音が出力されると（Ｓ３０８）、利用者１８は、指向性マイク８に向かって通話相手先の番号を話す（Ｓ３１０）。指向性マイク８は、サーバ６に音声データを送信する（Ｓ３１２）。サーバ６は、この音声データを電話番号に変換し、該当する相手先のＶｏＩＰ端末１２が接続されているＳＩＰサーバ１４に、セッションを確立するための“ＩＮＶＩＴＥ”メソッドを送信する（Ｓ３１４）。ＳＩＰサーバ１４は、サーバ６からセッションのリクエストがあると、ＶｏＩＰ端末１２に“ＩＮＶＩＴＥ”メソッドを送信すると共に（Ｓ３１６）、サーバ６にセッションの要求を実行中であることを知らせる“１００  Ｔｒｙｉｎｇ”メソッドを送信する（Ｓ３１８）。ＶｏＩＰ端末１２は、ＳＩＰサーバ１４から“ＩＮＶＩＴＥ”メソッドを受信すると、呼び出し音を鳴らすと共に、ＳＩＰサーバ１４に呼び出し中であることを知らせる“１８０  Ｒｉｎｇｉｎｇ”メソッドを送信する（Ｓ３２０）。ＳＩＰサーバ１４は、ＶｏＩＰ端末１２から“１８０  Ｒｉｎｇｉｎｇ”メソッドを受信すると、サーバ６に“１８０  Ｒｉｎｇｉｎｇ”メソッドを送信する（Ｓ３２２）。一方、呼び出し音を聞いた相手先の通話者がＶｏＩＰ端末１２の受話器を取ると、ＶｏＩＰ端末１２は、ＳＩＰサーバ１４に“２００  ＯＫ”メソッドを送信する（Ｓ３２４）。ＳＩＰサーバ１４は、ＶｏＩＰ端末１２から“２００  ＯＫ”メソッドを受信すると、サーバ６に“２００  ＯＫ”メソッドを送信する（Ｓ３２６）。サーバ６は、“２００  ＯＫ”メソッド受信すると、受信を確認したことを知らせる“ＡＣＫ”メソッドがＶｏＩＰ端末１２に送信される（Ｓ３３２）。これによりサーバ６とＶｏＩＰ端末１２との通話セッション、すなわち本実施例に係る電話ネットワークシステム１００との通話セッションが確立される。通話が終了し、ＶｏＩＰ端末１２の受話器が置かれると、ＶｏＩＰ端末１２からサーバ６にセッションの切断を知らせる“ＢＹＥ”メソッドが送信され（Ｓ３３４）、これを受信したサーバ６は、“２００  ＯＫ”メソッドをＶｏＩＰ端末１２に送信する（Ｓ３３６）。これにより通話セッションが切断される。
【００２７】
このように構成された電話ネットワークシステム１００は、利用者１８にＩＤ情報を備えた移動端末２を装着させ、指向性マイク８及び指向性スピーカ１０は移動端末２の外部に設置されるため、移動端末２の小型化を実現することができる。また、利用者１８は、移動端末２を服などに装着しておけばいいので、ネットワークシステムエリア２２内でハンドフリーに通話をすることができる。
【００２８】
また、図８に示すように、利用者１８がネットワークシステムエリア２２外にいるときにＶｏＩＰ端末１２から着呼があったときは、着呼の動作において、データベースＤＢ内のＩＤ情報に対応する位置情報が圏外であることを確認すると、留守番電話や、電話を他の電話端末に転送するように構成することもできる。
【００２９】
次に、本発明に係る電話ネットワークシステムの第２実施例について図面に基づいて説明する。図９は、第２実施例に係る電話ネットワークシステム２００の構成を示す機能ブロック図である。この電話ネットワークシステム２００は、移動端末２と、中継装置４と、サーバ６と、指向性スピーカ８と、指向性マイク１０と、を備えている。
【００３０】
第１実施例においては、指向性スピーカ８及び指向性マイク１０は、ネットワークシステムエリア２２内に１つずつ設置されているが、第２実施例においては、ネットワークシステムエリア２２内に複数の指向性スピーカ８及び複数の指向性マイク１０が備えられている。また、これらすべての指向性スピーカ８及び指向性マイク１０はすべてサーバ６に接続されている。
【００３１】
このように構成された電話ネットワークシステム２００は、第１実施例と同様に図５に示す位置情報取得シーケンスに基づいて移動端末２の位置情報を取得し、この位置情報に基づいて、移動端末２に最も近い回転台２０の回転制御を行う。  
【００３２】
このように、複数の指向性スピーカ８及びマイク５を設置することで、可聴領域及び可集音領域を広げ、カバーエリアを拡大することができる。
【００３３】
本実施例においては、移動端末２の位置を特定するために複数の中継装置４が設置されているが、移動端末２の電波の強弱のみに基づいて、位置情報を得るためには少なくとも３つの中継装置４を備えて構成されていればよく、移動端末２の電波の強弱及び電波の方向に基づいて、位置情報を得るためには少なくとも１つの中継装置４を備えて構成されていればよい。
【００３４】
本実施形態では、指向性スピーカ８及び指向性マイク１０は、移動端末２の方向を向くように構成されているが、指向性スピーカや指向性マイクは、移動端末２の高さによりも所定の高い位置の方向を向くように設定しても良い。例えば、移動端末２が利用者１８の胸当たりに装着されていれば、利用者の頭部周辺に指向性を設定するように、移動端末２の１５〜２０ｃｍ上方に指向性を設定する。このように構成することで、利用者１８は頭部の当たりで音声信号を送受信することができ、通和感度を向上させることができる。
【００３５】
本実施例において、指向性スピーカ８及び指向性マイク１０は、ネットワークシステムエリア２２内に独立して１つ設置されているが、中継装置４に取り付けるように構成することもできる。
【００３６】
本実施例においては、利用者１８が発呼する場合は、指向性スピーカ８に相手先の電話番号を話すように構成されているが、例えば、予め登録された電話番号の短縮ダイアルを指向性スピーカ８に向かって話したり、また、移動端末２に相手先を特定できるようなスイッチボタンを備えるように構成することもできる。
【００３７】
本実施例においては、サーバ６は、ＩＰ通信網１６及びＳＩＰサーバ１４を介してＶｏＩＰ端末１２に接続されているが、一般電話や携帯電話などに接続しても良い。また、サーバ６は、他のプロトコルによるＶｏＩＰによって、発呼処理及び着呼処理を行なう様に構成しても良い。また、ＳＩＰサーバ１４はサーバ６と物理的に同一箇所に存在する様に構成しても良い。
【図面の簡単な説明】
【００３８】
【図１】本発明の第１実施例に係る電話ネットワークシステムの機能を説明するための機能ブロック図である。
【図２】電話ネットワークシステムにおける移動端末の構成を示す機能ブロック図である。
【図３】電話ネットワークシステムにおける指向性スピーカ及び指向性マイクの構成を示す概略図である。
【図４】電話ネットワークシステムにおけるサーバの構成を示す概略図である。
【図５】電話ネットワークシステムの位置情報取得シーケンスを示す図である。
【図６】電話ネットワークシステムの着呼動作を示す図である。
【図７】電話ネットワークシステムの発呼動作を示す図である。
【図８】電話ネットワークシステムの応用例の構成を示す機能ブロック図である。
【図９】本発明の第２実施例に係る電話ネットワークシステムの機能を説明するための機能ブロック図である。
【符号の説明】
【００３９】
２…移動端末
４…中継装置
６…サーバ
８…指向性スピーカ
１０…指向性マイク
１２…外部電話端末
１４…ＳＩＰサーバ
１６…ＩＰ通信網
１８…利用者
２０…回転台
２２…ネットワークシステムエリア
２４…ＲＦＩＤタグ
２６…スイッチ
２８…アンテナ
１００…電話ネットワークシステム
２００…電話ネットワークシステム
【図１】
0004685665.tif 000002
【図２】
0004685665.tif 000003
【図３】
0004685665.tif 000004
【図４】
0004685665.tif 000005
【図５】
0004685665.tif 000006
【図６】
0004685665.tif 000007
【図７】
0004685665.tif 000008
【図８】
0004685665.tif 000009
【図９】
0004685665.tif 000010